(57)【特許請求の範囲】
【請求項１】
認証情報を送信する携帯端末と、当該携帯端末から送信された認証情報を認証する認証装置と、を備えた認証システムであって、
前記携帯端末は、
認証情報を送信する記憶媒体との間で通信を行う第１通信部と、
人体を介して前記認証装置との間で通信を行う第２通信部と、
認証情報を記憶する記憶部と、
時間を計測するタイマと、
前記第１通信部を介して前記記憶媒体から読み出した前記認証情報を前記記憶部に記憶させ、前記タイマによる時間の計測が所定時間に達した場合、前記第１通信部を介して前記記憶媒体から認証情報の読み出しを行い、前記記憶部に記憶されている前記認証情報と同じ認証情報が読み出されない場合には、前記記憶部の記憶内容を更新させる制御部と、を備えること、
を特徴とする認証システム。
【請求項２】
請求項１に記載の認証システムにおいて、
記憶媒体を検知する検知部を備え、
前記制御部は、
前記検知部において前記記憶媒体が検知された場合、前記タイマにおいて時間の計測を開始させ、前記検知部において前記記憶媒体が検知されない場合、前記タイマにおいて時間の計測を停止させること、
を特徴とする認証システム。
【請求項３】
請求項１又は請求項２に記載の認証システムにおいて、
前記制御部は、
前記認証装置に前記認証情報を送信する必要が生じた場合、前記記憶部から読み出した前記認証情報を前記第２通信部を介して前記認証装置に送信させること、
を特徴とする認証システム。
【請求項４】
請求項１から請求項３までのいずれか一項に記載の認証システムにおいて、
記憶媒体を検知する検知部を備え、
前記制御部は、
前記検知部において前記記憶媒体が検知された場合、前記第１通信部を介して前記記憶媒体から読み出した前記認証情報を前記記憶部に記憶させ、
前記検知部において前記記憶媒体が検知されない場合、前記記憶部に記憶されている前記認証情報を削除すること、
を特徴とする認証システム。
【請求項５】
認証情報を送信する記憶媒体との間で通信を行う第１通信部と、人体を介して認証装置との間で通信を行う第２通信部と、認証情報を記憶する記憶部と、時間を計測するタイマと、前記第１通信部及び前記記憶部を制御する制御部と、を備えた携帯端末の認証情報管理方法であって、
前記第１通信部を介して前記記憶媒体から読み出した前記認証情報を前記記憶部に記憶させるステップと、
前記タイマによる時間の計測が所定時間に達した場合、前記第１通信部を介して前記記憶媒体から認証情報の読み出しを行い、前記記憶部に記憶されている前記認証情報と同じ認証情報が読み出されない場合には、前記記憶部の記憶内容を更新させるステップと、
を備えること、
を特徴とする認証情報管理方法。
【請求項６】
認証情報を送信する記憶媒体との間で通信を行う第１通信部と、
人体を介して認証装置との間で通信を行う第２通信部と、
認証情報を記憶する記憶部と、
時間を計測するタイマと、
前記第１通信部を介して前記記憶媒体から読み出した前記認証情報を前記記憶部に記憶させ、前記タイマによる時間の計測が所定時間に達した場合、前記第１通信部を介して前記記憶媒体から認証情報の読み出しを行い、前記記憶部に記憶されている前記認証情報と同じ認証情報が読み出されない場合には、前記記憶部の記憶内容を更新させる制御部と、を備えること、
を特徴とする携帯端末。
【請求項７】
認証情報を認証装置に送信する携帯端末として、認証情報を送信する記憶媒体との間で通信を行う第１通信部と、人体を介して認証装置との間で通信を行う第２通信部と、認証情報を記憶する記憶部と、時間を計測するタイマと、前記第１通信部及び前記記憶部を制御する制御部と、を備えた携帯端末の携帯端末用プログラムであって、
コンピュータを、
前記第１通信部を介して前記記憶媒体から読み出した前記認証情報を前記記憶部に記憶させ、前記タイマによる時間の計測が所定時間に達した場合、前記第１通信部を介して前記記憶媒体から認証情報の読み出しを行い、前記記憶部に記憶されている前記認証情報と同じ認証情報が読み出されない場合には、前記記憶部の記憶内容を更新させる制御手段、
として機能させることを特徴とする携帯端末用プログラム。
【発明の詳細な説明】
【技術分野】
【０００１】
本発明は、認証システム、認証情報管理方法、携帯端末、及び携帯端末用プログラムに関する。
【背景技術】
【０００２】
従来、近距離通信システムに用いられるＩＣカード等の記憶媒体を、電界（人体）通信システムにも利用できるようにするため、記憶媒体から情報を読み取るリーダライタを、記憶媒体を取り付けるアダプタ本体に内蔵した携帯端末が提案されている（例えば、特許文献１，２参照）。
【先行技術文献】
【特許文献】
【０００３】
【特許文献１】特許第５０１２８３０号公報
【特許文献２】特許第５０１２８３１号公報
【発明の概要】
【発明が解決しようとする課題】
【０００４】
従来例の携帯端末は、通信アンテナにより記憶媒体に記憶された認証情報を読み出して、ドアの開閉を制御する制御装置（認証装置）に、認証情報を電界通信により送信する。そのため、携帯端末において、記憶媒体に記憶された認証情報をより速やかに取得することが求められていた。
【０００５】
本発明の目的は、記憶媒体に記憶された認証情報をより速やかに取得することができる認証システム、認証情報管理方法、携帯端末、及び携帯端末用プログラムを提供することにある。
【課題を解決するための手段】
【０００６】
本発明は、以下のような解決部により、前記課題を解決する。なお、理解を容易にするために、本発明の実施形態に対応する符号を付して説明するが、これに限定されるものではない。また、符号を付して説明した構成は、適宜改良してもよく。また、少なくとも一部を他の構成物に代替してもよい。
【０００７】
・第１の発明は、認証情報を送信する携帯端末（１０）と、当該携帯端末から送信された認証情報を認証する認証装置（２０）と、を備えた認証システム（１）であって、前記携帯端末は、認証情報を送信する記憶媒体との間で通信を行う第１通信部（１１）と、人体を介して前記認証装置との間で通信を行う第２通信部（１２）と、認証情報を記憶する記憶部（１３）と、前記第１通信部を介して前記記憶媒体から読み出した前記認証情報を前記記憶部に記憶させる制御部（１６）と、を備えること、を特徴とする認証システムである。
【０００８】
・第２の発明は、第１の発明の認証システム（１）において、前記認証装置に前記認証情報を送信する必要が生じた場合、前記記憶部から読み出した前記認証情報を前記第２通信部を介して前記認証装置に送信させること、を特徴とする認証システムである。
【０００９】
・第３の発明は、第１又は第２の発明の認証システム（１）において、記憶媒体を検知する検知部（１５）を備え、前記制御部（１６）は、前記検知部において前記記憶媒体が検知された場合、前記第１通信部（１１）を介して前記記憶媒体から読み出した前記認証情報を前記記憶部（１３）に記憶させ、前記検知部において前記記憶媒体が検知されない場合、前記記憶部に記憶されている前記認証情報を削除すること、を特徴とする認証システムである。
【００１０】
・第４の発明は、第１から第３のいずれかの発明の認証システム（２）において、時間を計測するタイマ（１７）を備え、前記制御部（１６Ａ）は、前記タイマによる時間の計測が所定時間に達した場合、前記第１通信部（１１）を介して前記記憶媒体から前記認証情報の読み出しを行い、前記記憶部（１３）に記憶されている前記認証情報と同じ認証情報が読み出せない場合には、前記記憶部の記憶内容を更新させること、を特徴とする認証システムである。
【００１１】
・第５の発明は、第４の発明の認証システム（２）において、記憶媒体を検知する検知部（１５）を備え、前記制御部（１６Ａ）は、前記検知部において前記記憶媒体が検知された場合、前記タイマにおいて時間の計測を開始させ、前記検知部において前記記憶媒体が検知されない場合、前記タイマにおいて時間の計測を停止させること、を特徴とする認証システムである。
【００１２】
・第６の発明は、認証情報を送信する記憶媒体との間で通信を行う第１通信部（１１）と、人体を介して認証装置（２０）との間で通信を行う第２通信部（１２）と、認証情報を記憶する記憶部（１３）と、前記第１通信部及び前記記憶部を制御する制御部（１６）と、を備えた携帯端末（１０）の認証情報管理方法であって、前記第１通信部を介して前記記憶媒体から読み出した前記認証情報を前記記憶部に記憶させるステップを備えること、を特徴とする認証情報管理方法である。
【００１３】
・第７の発明は、認証情報を送信する記憶媒体との間で通信を行う第１通信部（１１）と、人体を介して認証装置（２０）との間で通信を行う第２通信部（１２）と、認証情報を記憶する記憶部（１３）と、前記第１通信部を介して前記記憶媒体から読み出した前記認証情報を前記記憶部に記憶させる制御部と、を備えること特徴とする携帯端末である。
【００１４】
・第８の発明は、認証情報を認証装置に送信する携帯端末（１０）として、認証情報を送信する記憶媒体との間で通信を行う第１通信部（１１）と、人体を介して認証装置（２０）との間で通信を行う第２通信部（１２）と、認証情報を記憶する記憶部（１３）と、前記第１通信部及び前記記憶部を制御する制御部（１６）と、を備えた携帯端末の携帯端末用プログラムであって、コンピュータを、前記第１通信部を介して前記記憶媒体から読み出した前記認証情報を前記記憶部に記憶させる制御手段、として機能させることを特徴とする携帯端末用プログラムである。
【発明の効果】
【００１５】
本発明によれば、記憶媒体に記憶された認証情報をより速やかに取得することができる認証システム、認証情報管理方法、携帯端末、及び携帯端末用プログラムを提供することができる。
【図面の簡単な説明】
【００１６】
【図１】入室管理システム１の全体構成を示すブロック図である。
【図２】ＩＣカード３０が挿入されたカードホルダ１０の外観図である。
【図３】ＩＣカード３０とカードホルダ１０とを示す斜視図である。
【図４】入室管理システム１Ａの全体構成図である。
【図５】入室管理システム１Ｂの全体構成図である。
【図６】カードホルダ１０の端末側制御部１６により実行されるＩＤ情報更新処理の手順を示すフローチャートである。
【図７】カードホルダ１０の端末側制御部１６により実行されるＩＤ情報読み出し処理の手順を示すフローチャートである。
【図８】第２実施形態における入室管理システム２の全体構成を示すブロック図である。
【図９】カードホルダ１０Ａの端末側制御部１６Ａにより実行されるＩＤ情報更新処理（１）の手順を示すフローチャートである。
【図１０】カードホルダ１０Ａの端末側制御部１６Ａにより実行されるＩＤ情報更新処理（２）の手順を示すフローチャートである。
【発明を実施するための形態】
【００１７】
以下、本発明に係る認証システムを、入室管理システムに適用した実施形態について説明する。
［第１実施形態］
図１は、第１実施形態における入室管理システム１の全体構成を示すブロック図である。図２は、ＩＣカード３０が挿入されたカードホルダ１０の外観図である。図３は、ＩＣカード３０とカードホルダ１０とを示す斜視図である。
【００１８】
図１に示すように、入室管理システム１は、カードホルダ１０と、認証装置２０と、から構成される。
まず、カードホルダ１０の構成について説明する。
カードホルダ１０は、入室管理システムの利用者が保持する携帯端末である。カードホルダ１０は、図２に示すように、箱枠形状の筐体１００により構成される。筐体１００の内部には、後述するリーダライタ１１等の電子部品が配置されている。筐体１００は、ＩＣカード３０（後述）を保持可能な第１面１０１、及び第１面１０１とは反対側の第２面１０２とを有する。
【００１９】
筐体１００において、第１面１０１の外周域には、挿入されたＩＣカード３０の側面を保持する複数の保持片１０３が設けられている。カードホルダ１０の利用者は、図３に示すように、ＩＣカード３０を筐体１００の一端側から第１面１０１に沿って矢印方向に挿入することにより、ＩＣカード３０をカードホルダ１０に保持させることができる。なお、筐体１００の第１面１０１には、スイッチ１５（後述）の可動片１５ａが突出している。この可動片１５ａは、ＩＣカード３０をカードホルダ１０に挿入すると、ＩＣカード３０により押圧され、第１面１０１の側に埋没する。
【００２０】
ＩＣカード３０は、ループアンテナ、ＩＣチップ等（いずれも不図示）が内蔵されたＩＣタグである。ループアンテナは、ＮＦＣ（Ｎｅａｒ  Ｆｉｅｌｄ  Ｃｏｍｍｕｎｉｃａｔｉｏｎ）規格帯の電磁波により情報を送受信可能なアンテナである。ＩＣチップは、ループアンテナを介して、筐体１００に内蔵されたリーダライタ１１（後述）との間で情報の送受信を行う。ＩＣチップは、ＣＰＵ、メモリ等（いずれも不図示）により構成される。ＩＣチップのメモリには、ＩＣカード３０の利用者を識別するためのＩＤ情報（認証情報）が記憶されている。
【００２１】
ＩＣカード３０とリーダライタ１１との間の通信は、例えば、ＮＦＣ規格（ＩＳＯ／ＩＥＣ１８０２（ＮＦＣ  ＩＰ−１）、（ＩＳＯ／ＩＥＣ１４８１（ＮＦＣ  ＩＰ−２）に基づいて、１３．５６ＭＨｚの電磁波を利用して行われる。ＩＣカード３０とリーダライタ１１との間の通信は、数ｍｍから数十ｍｍ程度の距離で可能となる。ＩＣカード３０がカードホルダ１に保持されると、ＩＣカード３０とリーダライタ１１との距離は、数ｍｍ程度となる。
【００２２】
また、図２に示すように、筐体１００の第２面１０２には、信号電極１２１が配置されている。信号電極１２１は、電界通信において、利用者（人体）の近傍に変調電界を誘起する電極である。信号電極１２１は、平面視において、筐体１００の第２面１０２をほぼ覆うように、略四角形に形成されている。信号電極１２１は、筐体１００に内蔵された後述の端末側通信部１２（不図示）と電気的に接続されている。
【００２３】
カードホルダ１０は、図１に示すように、リーダライタ１１（第１通信部）と、端末側通信部１２（第２通信部）と、記憶部１３と、電源部１４と、スイッチ１５（検知部）と、端末側制御部１６と、を備える。
【００２４】
リーダライタ１１は、ＩＣカード３０（後述）との間で非接触により情報を送受信する、ＮＦＣ規格に対応したリーダライタである。ＩＣカード３０がカードホルダ１０に保持されると、ＩＣカード３０とリーダライタ１１との間で電磁誘導による情報の送受信が行われ、ＩＣカード３０のメモリに記憶されたＩＤ情報がリーダライタ１１で読み取られる。リーダライタ１１で読み取られたＩＤ情報は、記憶部１３（後述）に記憶される。
【００２５】
端末側通信部１２は、送信する情報に応じて変調された信号を信号電極１２１に供給して、人体の近傍に変調電界を誘起させ、後述する外部の認証装置２０（不図示）に人体を介した電界通信により信号を送信する。また、端末側通信部１２は、認証装置２０から送信された信号（例えば、通信開始信号）により、人体の近傍に誘起された変調電界を信号電極１２１で受信し、外部の認証装置２０から人体を介した電界通信により信号を受信する。端末側通信部１２は、電界通信Ｉ／Ｆ、電界通信制御ドライバ等（いずれも不図示）により構成される。
【００２６】
記憶部１３は、リーダライタ１１を介してＩＣカード３０から読み取られたＩＤ情報、端末側制御部１６で実行される各種のアプリケーションソフト等を記憶する。記憶部１３には、アプリケーションソフトとして、例えば、携帯端末用プログラムが記憶される。
【００２７】
携帯端末用プログラムは、コンピュータとしての端末側制御部１６を、リーダライタ１１を介してＩＣカード３０から読み出したＩＤ情報を記憶部１３に記憶させ、認証装置２０にＩＤ情報を送信する必要が生じた場合、記憶部１３から読み出したＩＤ情報を端末側通信部１２を介して認証装置２０に送信させる制御手段として機能させるためのプログラムである。
【００２８】
電源部１４は、リーダライタ１１、端末側通信部１２、記憶部１３、端末側制御部１６等に電力を供給する。電源部１４は、バッテリ本体、バッテリ制御ドライバ等（いずれも不図示）により構成される。
【００２９】
スイッチ１５は、カードホルダ１０にＩＣカード３０が挿入されたことを検知する部品である。スイッチ１５は、プッシュスイッチにより構成される。スイッチ１５は、可動片１５ａを備える。可動片１５ａは、筐体１００の厚さ方向に移動自在に支持され、スイッチ１５の電極接点（不図示）と連動している。
【００３０】
可動片１５ａは、図３に示すように、筐体１００にＩＣカード３０が挿入されていない状態では、バネ（不図示）の付勢力により、第１面１０１から突出する。この状態で、可動片１５ａと連動する電極接点は、非導通状態となる。一方、可動片１５ａは、図２に示すように、筐体１００にＩＣカード３０が挿入された状態では、ＩＣカード３０により押圧されるため、バネの付勢力に抗して第１面１０１に埋没する。この状態で、可動片１５ａと連動する電極接点は、導通状態となる。なお、可動片１５ａが第１面１０１から突出する状態で、可動片１５ａと連動する電極接点が導通状態となり、可動片１５ａが第１面１０１に埋没する状態で、可動片１５ａと連動する電極接点が非導通状態となる構成でもよい。
【００３１】
スイッチ１５は、非導通状態又は導通状態に対応した検知信号を、端末側制御部１６へ出力する。例えば、スイッチ１５が非導通状態の場合、端末側制御部１６へ出力される検知信号はＨ（Ｈｉｇｈ）レベルとなる。また、スイッチ１５が導通状態の場合、端末側制御部１６へ出力される検知信号はＬ（Ｌｏｗ）レベルとなる。
【００３２】
端末側制御部１６は、リーダライタ１１、端末側通信部１２における通信、記憶部１３におけるＩＤ情報の書き込み並びに読み出しの動作、及びその他の動作を制御する。端末側制御部１６は、ＣＰＵ、メモリ等により構成される。
【００３３】
端末側制御部１６は、カードホルダ１０にＩＣカード３０が挿入され、スイッチ１５から出力される検知信号がＬレベルになると、リーダライタ１１を介してＩＣカード３０からＩＤ情報の読み出しを実行し、読み出したＩＤ情報を記憶部１３に記憶させる。また、端末側制御部１６は、カードホルダ１０からＩＣカード３０が抜き取られ、スイッチ１５から出力される検知信号がＨレベルになると、記憶部１３に記憶されているＩＤ情報を削除する。
【００３４】
端末側制御部１６は、カードホルダ１０にＩＣカード３０が挿入されている間に、認証装置２０にＩＤ情報を送信する必要が生じた場合、即ち、通信開始信号（後述）を受信した場合は、記憶部１３から読み出したＩＤ情報を、端末側通信部１２を介して認証装置２０に送信させる。
【００３５】
端末側制御部１６は、記憶部１３から読み出したＩＤ情報を認証装置２０へ送信した場合、ＩＣカード３０から読み出したＩＤ情報を記憶部１３へ記憶させた場合、又は記憶部１３に記憶されているＩＤ情報を削除した場合のいずれかの事象が発生したときに、電源部１４を制御して、カードホルダ１０をスリープ状態へ移行させる。スリープ状態とは、端末側通信部１２への電力の供給を停止し、記憶部１３及び端末側制御部１６へ必要最小限の電力が供給されている状態をいう。なお、スリープ状態であっても、端末側通信部１２は、信号電極１２１において、人体を介した電界通信により、認証装置２０から送信された信号を受信することができる。
【００３６】
また、端末側制御部１６は、カードホルダ１０をスリープ状態へ移行させた後に、認証装置２０から通信開始信号を受信した場合、カードホルダ１０へＩＣカード３０が挿入された場合、又はカードホルダ１０からＩＣカード３０が抜き取られた場合のいずれかの事象が発生したときに、電源部１４を制御して、カードホルダ１０をスリープ状態から復帰させる。これにより、端末側通信部１２、記憶部１３等に対して、電源部１４から通常の電力が供給される。
なお、リーダライタ１１は、ＩＣカード３０からＩＤ情報を読み出す必要が生じた場合に、電源部１４から電力が供給されることで起動する。また、リーダライタ１１は、ＩＣカード３０から読み出したＩＤ情報が端末側通信部１２により送信された後、電源部１４からの電力の供給が遮断されることで停止する。リーダライタ１１において、ＩＣカード３０からＩＤ情報を読み出す必要が生じるのは、スイッチ１５においてＩＣカード３０の挿入が検知された場合、又はタイマ１７によるタイマ割り込みが発生した場合である。
【００３７】
次に、認証装置２０について説明する。
認証装置２０は、カードホルダ１０から、人体を介した電界通信により取得したＩＤ情報に基づいて、ドアＤの開錠、施錠を制御する。認証装置２０は、図１に示すように、認証側通信部２１と、記憶部２２と、認証側制御部２３と、ドア施錠管理部２４と、を備える。
【００３８】
認証側通信部２１は、利用者の人体を介した電界通信により、利用者の保持するカードホルダ１０（端末側通信部１２）との間で通信を行う。認証側通信部２１は、例えば、ドアの前に敷かれたマットに内蔵される。後述するように、利用者がドアの前に敷かれたマットを踏むと、認証側通信部２１の電極（不図示）を介して、カードホルダ１０との間で、利用者Ｐの人体を介した電界通信による信号の送受信が開始される。この利用者Ｐの人体を介した電界通信により、カードホルダ１０は、認証装置２０から通信開始信号を受信することができる。また、利用者Ｐの人体を介した電界通信により、カードホルダ１０は、認証装置２０へＩＤ情報を送信することができる。
【００３９】
記憶部２２は、ＩＤ情報を認証する際に参照するＩＤ情報テーブルのほか、認証側制御部２３で実行されるオペレーティングシステム（ＯＳ）、アプリケーションプログラム、各種データ等を記憶する。
【００４０】
認証側制御部２３は、認証装置２０の動作を統括的に制御する。認証側制御部２３は、ＣＰＵ、メモリ等（いずれも不図示）により構成される。認証側制御部２３は、記憶部２２に記憶されたオペレーティングシステム（ＯＳ）、アプリケーションプログラム等を読み出して実行することにより、各ハードウェアと協働して、後述するＩＤ情報の認証に関する各種の機能を実現する。
【００４１】
認証側制御部２３は、認証側通信部２１を介して、定期的に通信開始信号を送信させる。通信開始信号とは、携帯端末であるカードホルダ１０に対して、ＩＤ情報の送信を要求する信号である。
【００４２】
認証側制御部２３は、認証側通信部２１から受信したＩＤ情報の認証（正当性の検証）を行い、入室可と判定した場合には、ドアを開錠するための開錠信号をドア施錠管理部２４に送信する。
ドア施錠管理部２４は、ドアの開錠、施錠を管理する。ドア施錠管理部２４は、認証側制御部２３から開錠信号を受信すると、施錠されているドアの錠を解除する。
【００４３】
次に、入室管理システム１の具体例について説明する。ここでは、カードホルダ１０から人体を介した電界通信によりＩＤ情報を取得する入室管理システム１Ａと、カードホルダ１０から非接触の近距離通信によりＩＤ情報を取得する入室管理システム１Ｂについて説明する。入室管理システムは、室内へ入室しようとする者の入室の可否を管理するシステムである。なお、以下の説明において、カードホルダ１０は、筐体１００にＩＣカード３０が挿入された状態で使用される。
【００４４】
まず、カードホルダ１０から人体を介した電界通信によりＩＤ情報を取得する入室管理システム１Ａについて説明する。図４は、入室管理システム１Ａの全体構成図である。入室管理システム１Ａは、図４に示すように、利用者Ｐが保持するカードホルダ１０と、認証装置２０と、から構成される。カードホルダ１０、及び認証装置２０の構成については説明を省略する。
【００４５】
図４に示すように、利用者ＰがドアＤの前に敷かれたマットＭを踏むと、マットＭに内蔵された認証側通信部２１とカードホルダ１０（端末側通信部１２）との間で、利用者Ｐの人体を介した電界通信による信号の送受信が開始される。これにより、認証装置２０の認証側通信部２１から発せられた通信開始信号が、利用者Ｐの人体を介した電界通信により、認証装置２０からカードホルダ１０へ送信される。また、ＩＣカード３０から読み取られたＩＤ情報が、利用者Ｐの人体を介した電界通信により、カードホルダ１０から認証装置２０へ送信される。
【００４６】
認証側制御部２３は、カードホルダ１０から受信したＩＤ情報と、記憶部２２に記憶されているＩＤ情報テーブルとを参照して、受信したＩＤ情報の認証を行う。認証側制御部２３は、受信したＩＤ情報がＩＤ情報テーブルに登録されている場合には、入室可と判定する。一方、認証側制御部２３は、受信したＩＤ情報がＩＤ情報テーブルに登録されていない場合には、入室不可と判定する。
【００４７】
認証側制御部２３は、受信したＩＤ情報について、入室可と判定した場合には、ドアＤを開錠するための開錠信号をドア施錠管理部２４に送信する。ドア施錠管理部２４は、認証側制御部２３から開錠信号を受信すると、施錠されているドアＤの錠を解除する。これにより、利用者Ｐは、開錠されたドアＤを開けて、室内に入ることができる。また、ドア施錠管理部２４は、認証側制御部２３から開錠信号を受信しない場合には、ドアＤの錠を解除することなく、施錠された状態を維持する。この場合、認証側制御部２３は、利用者Ｐに対して、例えば、ブザー等の警告音により報知する。
【００４８】
次に、カードホルダ１０から非接触の近距離通信によりＩＤ情報を取得する入室管理システム１Ｂについて説明する。入室管理システム１Ｂは、カードホルダ１０と認証側通信部２１との間の通信が、人体を介した電界通信ではなく、電磁誘導による非接触の近距離通信である点において、入室管理システム１Ａと異なる。図５は、入室管理システム１Ｂの全体構成図である。入室管理システム１Ｂは、図５に示すように、利用者Ｐが保持するカードホルダ１０と、認証装置２０Ａと、から構成される。
【００４９】
入室管理システム１Ｂにおいて、認証装置２０Ａの基本的な構成は、図１に示す認証装置２０と同じである。入室管理システム１Ｂでは、認証側通信部２１Ａが、電磁誘導による情報の送受信を行うリーダライタである点において、図１に示す認証装置２０の認証側通信部２１と異なる。
【００５０】
本実施形態の入室管理システム１Ｂにおいて、認証装置２０Ａの認証側通信部２１Ａ（図１参照）は、利用者Ｐの保持するカードホルダ１０のＩＣカード３０との間で電磁誘導により情報の送受信を行うリーダライタである。認証側通信部２１Ａで受信したＩＤ情報は、認証側制御部２３へ送信される。認証側制御部２３及びドア施錠管理部２４におけるドアＤの開錠、施錠の管理については説明を省略する。
【００５１】
図５に示すように、利用者Ｐが、カードホルダ１０をドアＤの前に配置された認証側通信部２１Ａにかざすと、カードホルダ１０に挿入されたＩＣカード３０と認証側通信部２１Ａとの間で電磁誘導による情報の送受信が行われ、ＩＣカード３０のＩＣチップ（メモリ）に記憶されたＩＤ情報が認証側通信部２１Ａに読み取られる。以後の処理は、図４に示す実施形態と同じであるため、説明を省略する。
【００５２】
以上のように、ＩＣカード３０が挿入されたカードホルダ１０は、人体を介した電界通信により取得したＩＤ情報に基づいて認証を行う入室管理システム１Ａ、及び非接触の近距離通信により取得したＩＤ情報に基づいて認証を行う入室管理システム１Ｂの両方に使用することができる。
【００５３】
次に、カードホルダ１０の端末側制御部１６により実行されるＩＤ情報更新処理について説明する。図６は、カードホルダ１０の端末側制御部１６により実行されるＩＤ情報更新処理の手順を示すフローチャートである。図６に示すＩＤ情報更新処理は、端末側制御部１６において、検知信号（スイッチ１５）の立ち上がりエッジ又は立ち下りエッジを検知する度、即ち、カードホルダ１０において、ＩＣカード３０の挿入又は抜き取りが行われる度に実行される。
【００５４】
図６に示すステップＳ（以下、「Ｓ」という）１０１において、端末側制御部１６は、カードホルダ１０にＩＣカード３０が挿入されたか否かを判定する。具体的には、端末側制御部１６は、スイッチ１５から出力される検知信号がＬレベル（導通状態）か否かを判定する。Ｓ１０１の判定がＹＥＳであれば、処理はＳ１０２へ移行する。また、Ｓ１０１の判定がＮＯであれば、処理はＳ１０７へ移行する。なお、Ｓ１０１において、カードホルダ１０にＩＣカード３０が挿入されたか否かの判定は、検知信号（Ｌレベル）の立ち上がりエッジ又は立ち下りエッジのいずれかを検知したか否かで判定してもよい。
【００５５】
Ｓ１０２（Ｓ１０１：ＹＥＳ）において、端末側制御部１６は、電源オンの状態に移行して、電源部１４からの電力の供給を開始させる。
Ｓ１０３において、端末側制御部１６は、リーダライタ１１を介してＩＣカード３０からＩＤ情報の読み出しを実行する。
【００５６】
Ｓ１０４において、端末側制御部１６は、ＩＣカード３０からＩＤ情報の読み出しに成功したか否かを判定する。Ｓ１０４の判定がＹＥＳであれば、処理はＳ１０５へ移行する。また、Ｓ１０４の判定がＮＯであれば、処理はＳ１０６へ移行する。
【００５７】
Ｓ１０５（Ｓ１０４：ＹＥＳ）において、端末側制御部１６は、ＩＣカード３０から読み出したＩＤ情報を、記憶部１３に記憶させる。
Ｓ１０６において、端末側制御部１６は、電源部１４を制御してスリープ状態へ移行し、本フローチャートの処理を終了する。
【００５８】
Ｓ１０７（Ｓ１０１：ＮＯ）において、端末側制御部１６は、カードホルダ１０からＩＣカード３０が抜き取られたか否かを判定する。具体的には、端末側制御部１６は、スイッチ１５から出力される検知信号がＨレベル（非導通状態）か否かを判定する。Ｓ１０７の判定がＹＥＳであれば、処理はＳ１０８へ移行する。また、Ｓ１０７の判定がＮＯであれば、処理はＳ１０１へ戻る。なお、Ｓ１０７において、カードホルダ１０からＩＣカード３０が抜き取られたか否かの判定は、検知信号（Ｈレベル）の立ち上がりエッジ又は立ち下りエッジのいずれかを検知したか否かで判定してもよい。
【００５９】
Ｓ１０８（Ｓ１０７：ＹＥＳ）において、端末側制御部１６は、スリープ状態から復帰して、電源部１４から端末側制御部１６及び記憶部１３へ電力の供給を開始させる。
Ｓ１０９において、端末側制御部１６は、記憶部１３に記憶されているＩＤ情報を削除する。
Ｓ１１０において、端末側制御部１６は、電源オフの状態に移行して、電源部１４からの電力の供給を停止させる。端末側制御部１６は、Ｓ１１０の後、本フローチャートの処理を終了する。
【００６０】
本実施形態のＩＤ情報更新処理によれば、カードホルダ１０にＩＣカード３０が挿入されると、ＩＣカード３０から読み出されたＩＤ情報が記憶部１３に記憶される。また、カードホルダ１０からＩＣカード３０が抜き取られると、記憶部１３に記憶されているＩＤ情報が削除される。
【００６１】
次に、カードホルダ１０の端末側制御部１６により実行されるＩＤ情報読み出し処理について説明する。図７は、カードホルダ１０の端末側制御部１６により実行されるＩＤ情報読み出し処理の手順を示すフローチャートである。図７に示すＩＤ情報読み出し処理は、認証装置２０から通信開始信号を受信する度に実行される。
【００６２】
図７に示すＳ２０１において、端末側制御部１６は、認証装置２０から人体を介した電界通信により通信開始信号を受信したか否かを判定する。Ｓ２０１の判定がＹＥＳであれば、処理はＳ２０２へ移行する。また、Ｓ２０１の判定がＮＯであれば、処理はＳ２０１へ戻る。
【００６３】
Ｓ２０２（Ｓ２０１：ＹＥＳ）において、端末側制御部１６は、電源部１４を制御してスリープ状態から復帰する。
Ｓ２０３において、端末側制御部１６は、記憶部１３に記憶されているＩＤ情報を読み出す。
【００６４】
Ｓ２０４において、端末側制御部１６は、認証装置２０との間でＩＤ情報の送信を含む通信を開始する。この後、カードホルダ１０と認証装置２０との間でＩＤ情報の送信を含む各種メッセージ信号の送受信が行われる。
Ｓ２０５において、端末側制御部１６は、認証装置２０との間でＩＤ情報の送信を含む通信が終了したか否かを判定する。Ｓ２０５の判定がＹＥＳであれば、処理はＳ２０６へ移行する。また、Ｓ２０５の判定がＮＯであれば、処理はＳ２０５へ戻る。
Ｓ２０６において、端末側制御部１６は、電源部１４を制御してスリープ状態へ移行し、本フローチャートの処理を終了する。
【００６５】
図７に示すＩＤ情報読み出し処理によれば、認証装置２０から通信開始信号を受信する度に、リーダライタ１１を起動することなしに、記憶部１３から読み出されたＩＤ情報が認証装置２０へ送信される。
【００６６】
上述した第１実施形態の入室管理システム１によれば、以下のような効果を奏する。
（１）カードホルダ１０において、リーダライタ１１を介してＩＣカード３０から読み出したＩＤ情報は記憶部１３に記憶される。そのため、ＩＣカード３０に記憶されたＩＤ情報をより速やかに取得することができる。
また、カードホルダ１０において、認証装置２０へＩＤ情報を送信する必要が生じた場合、端末側制御部１６は、ＩＤ情報を記憶部１３から読み出し、認証装置２０へ送信する。そのため、ＩＤ情報をＩＣカードからリーダライタ１１を介して読み出す場合に比べて、消費電力を低減することができる。また、カードホルダ１０において、ＩＤ情報の読み出しを開始してから認証装置２０へ送信するまでの処理速度を向上させることができる。
【００６７】
（２）カードホルダ１０にＩＣカード３０が挿入された場合、端末側制御部１６は、リーダライタ１１を介してＩＣカード３０から読み出したＩＤ情報を記憶部１３に記憶する。そのため、利用者は、カードホルダ１０にＩＣカード３０を挿入するだけで、ＩＤ情報をカードホルダ１０に記憶させることができる。
【００６８】
（３）カードホルダ１０からＩＣカード３０が抜き取られた場合、端末側制御部１６は、記憶部１３に記憶されているＩＤ情報を削除する。そのため、カードホルダ１０からＩＣカード３０が抜き取られた場合に、カードホルダ１０の内部にＩＤ情報が残らないため、セキュリティ性を高めることができる。
【００６９】
［第２実施形態］
図８は、第２実施形態における入室管理システム２の全体構成を示すブロック図である。なお、第２実施形態における入室管理システム２の基本的な構成は、前述した第１実施形態と同じであるため、共通する構成を備えた部位には同一符号を付して、適宜に説明を省略する。また、第２実施形態において、同一名称で構成が異なる部位には、符号に続いて「Ａ」の記号を付して説明する。
【００７０】
図８に示すように、入室管理システム２は、カードホルダ１０Ａと、認証装置２０と、から構成される。
カードホルダ１０Ａの構成について説明する。
カードホルダ１０Ａは、入室管理システム２の利用者が保持する携帯端末である。カードホルダ１０Ａの外観及び基本的な構成は、第１実施形態のカードホルダ１０と同じである。第２実施形態のカードホルダ１０Ａは、主にタイマ１７（後述）を備える点が第１実施形態のカードホルダ１０と異なる。
【００７１】
カードホルダ１０Ａは、図８に示すように、リーダライタ１１（第１通信部）と、端末側通信部１２（第２通信部）と、記憶部１３と、電源部１４と、スイッチ１５と、端末側制御部１６Ａと、タイマ１７と、を備える。
【００７２】
タイマ１７は、予め設定された時間（以下、「所定時間」という）を計測する。タイマ１７は、時間の計測が所定時間に達すると、端末側制御部１６Ａに対してタイマ割り込みを発生させる。タイマ１７において、タイマ割り込みの発生は、端末側制御部１６Ａの制御により、時間の計測が停止されるまで繰り返し実行される。なお、タイマ１７の代わりに、端末側制御部１６Ａを構成するＣＰＵの内部処理において、タイマ割り込みを発生させてもよい。
【００７３】
端末側制御部１６Ａは、カードホルダ１０ＡにＩＣカード３０が挿入され、スイッチ１５から出力される検知信号がＬレベルになると、タイマ１７を制御して、時間の計測を開始させる。また、端末側制御部１６Ａは、カードホルダ１０からＩＣカード３０が抜き取られ、スイッチ１５から出力される検知信号がＨレベルになると、タイマ１７を制御して、時間の計測を停止させる。
【００７４】
端末側制御部１６Ａは、タイマ１７による時間の計測が所定時間に達して、タイマ割り込みが発生した場合、リーダライタ１１を介してＩＣカード３０からＩＤ情報の読み出しを実行する。そして、端末側制御部１６Ａは、記憶部１３に記憶されている認証情報と同じ認証情報が読み出されない場合、記憶部１３の記憶内容を更新させる。
【００７５】
具体的には、端末側制御部１６Ａは、ＩＣカード３０から読み出したＩＤ情報と、記憶部１３に記憶されているＩＤ情報とが一致しない場合には、ＩＣカード３０から読み出したＩＤ情報により、記憶部１３に記憶されているＩＤ情報を上書き（更新）させる。また、端末側制御部１６Ａは、ＩＣカード３０からＩＤ情報が読み出せない場合には、記憶部１３に記憶されているＩＤ情報を削除（更新）させる。なお、端末側制御部１６Ａは、ＩＣカード３０から読み出したＩＤ情報と、記憶部１３に記憶されているＩＤ情報とが一致する場合には、記憶部１３の記憶内容を維持させる。
【００７６】
端末側制御部１６Ａは、カードホルダ１０ＡにＩＣカード３０が挿入されている間に、認証装置２０にＩＤ情報を送信する必要が生じた場合、記憶部１３から読み出したＩＤ情報を、端末側通信部１２を介して認証装置２０に送信させる。
【００７７】
端末側制御部１６Ａは、記憶部１３から読み出したＩＤ情報を認証装置２０へ送信した場合、ＩＣカード３０から読み出したＩＤ情報を記憶部１３へ記憶させた場合、又は記憶部１３に記憶されているＩＤ情報を削除した場合のいずれかの事象が発生したときに、電源部１４を制御して、カードホルダ１０Ａをスリープ状態へ移行させる。
【００７８】
また、端末側制御部１６Ａは、カードホルダ１０Ａをスリープ状態へ移行させた後、認証装置２０から通信開始信号を受信した場合、タイマ１７によるタイマ割り込みが発生した場合、カードホルダ１０へＩＣカード３０が挿入された場合、又はカードホルダ１０からＩＣカード３０が抜き取られた場合のいずれかの事象が発生したときに、電源部１４を制御して、カードホルダ１０をスリープ状態から復帰させる。これにより、端末側通信部１２、記憶部１３等に対して、電源部１４から通常の電力が供給される。
【００７９】
次に、カードホルダ１０Ａの端末側制御部１６Ａにより実行されるＩＤ情報更新処理（１）について説明する。
【００８０】
図９は、カードホルダ１０Ａの端末側制御部１６Ａにより実行されるＩＤ情報更新処理（１）の手順を示すフローチャートである。ＩＤ情報更新処理（１）は、カードホルダ１０Ａにおいて、ＩＣカード３０の挿入又は抜き取りが行われたときに実行される。
【００８１】
図９に示すＳ３０１において、端末側制御部１６Ａは、カードホルダ１０ＡにＩＣカード３０が挿入されたか否かを判定する。具体的には、端末側制御部１６Ａは、スイッチ１５から出力される検知信号がＬレベル（導通状態）か否かを判定する。Ｓ３０１の判定がＹＥＳであれば、処理はＳ３０２へ移行する。また、Ｓ３０１の判定がＮＯであれば、処理はＳ３０８へ移行する。
【００８２】
Ｓ３０２（Ｓ３０１：ＹＥＳ）において、端末側制御部１６Ａは、電源オンの状態に移行して、電源部１４からの電力の供給を開始させる。
Ｓ３０３において、端末側制御部１６Ａは、リーダライタ１１を介してＩＣカード３０からＩＤ情報の読み出しを実行する。
【００８３】
Ｓ３０４において、端末側制御部１６Ａは、ＩＣカード３０からＩＤ情報の読み出しに成功したか否かを判定する。Ｓ３０４の判定がＹＥＳであれば、処理はＳ３０５へ移行する。また、Ｓ３０４の判定がＮＯであれば、処理はＳ３０７へ移行する。
【００８４】
Ｓ３０５（Ｓ３０４：ＹＥＳ）において、端末側制御部１６Ａは、ＩＣカード３０から読み出したＩＤ情報を、記憶部１３に記憶される。
Ｓ３０６において、端末側制御部１６Ａは、タイマ１７を制御して、時間の計測を開始させる。
Ｓ３０７において、端末側制御部１６Ａは、電源部１４を制御してスリープ状態へ移行し、本フローチャートの処理を終了する。
【００８５】
Ｓ３０８（Ｓ３０１：ＮＯ）において、端末側制御部１６Ａは、カードホルダ１０ＡからＩＣカード３０が抜き取られたか否かを判定する。具体的には、端末側制御部１６Ａは、スイッチ１５から出力される検知信号がＨレベル（非導通状態）か否かを判定する。Ｓ３０８の判定がＹＥＳであれば、処理はＳ３０９へ移行する。また、Ｓ３０８の判定がＮＯであれば、処理はＳ３０１へ戻る。
【００８６】
Ｓ３０９（Ｓ３０８：ＹＥＳ）において、端末側制御部１６Ａは、スリープ状態から復帰して、電源部１４から端末側制御部１６Ａ及び記憶部１３へ電力の供給を開始させる。
Ｓ３１０において、端末側制御部１６Ａは、記憶部１３に記憶されているＩＤ情報を削除する。
Ｓ３１１において、端末側制御部１６Ａは、タイマ１７を制御して、時間の計測を停止させる。
Ｓ３１２において、端末側制御部１６Ａは、電源オフの状態に移行して、電源部１４からの電力の供給を停止させる。端末側制御部１６Ａは、Ｓ３１２の後、本フローチャートの処理を終了する。
【００８７】
図９に示すＩＤ情報更新処理（１）によれば、カードホルダ１０へＩＣカード３０が挿入されると、ＩＣカード３０から読み出されたＩＤ情報が記憶部１３に記憶されると共に、タイマ１７において時間の計測が開始される。また、カードホルダ１０からＩＣカード３０が抜き取られると、記憶部１３に記憶されているＩＤ情報が削除されると共に、タイマ１７において時間の計測が停止される。
【００８８】
次に、カードホルダ１０Ａの端末側制御部１６Ａにより実行されるＩＤ情報更新処理（（２）について説明する。
図１０は、カードホルダ１０Ａの端末側制御部１６Ａにより実行されるＩＤ情報更新処理（２）の手順を示すフローチャートである。ＩＤ情報更新処理（２）は、カードホルダ１０Ａにおいて、タイマ割り込みが発生したときに実行される処理である。
【００８９】
図１０に示すＳ４０１において、端末側制御部１６Ａは、タイマ割り込みが発生したか否かを判定する。Ｓ４０１の判定がＹＥＳであれば、処理はＳ４０２へ移行する。また、Ｓ４０１の判定がＮＯであれば、処理はＳ４０１へ戻る。
【００９０】
Ｓ４０２（Ｓ４０１：ＹＥＳ）において、端末側制御部１６Ａは、電源部１４を制御してスリープ状態から復帰する。
Ｓ４０３において、端末側制御部１６Ａは、リーダライタ１１を介してＩＣカード３０からＩＤ情報の読み出しを実行する。
【００９１】
Ｓ４０４において、端末側制御部１６Ａは、ＩＣカード３０からＩＤ情報の読み出しに成功したか否かを判定する。Ｓ４０４の判定がＹＥＳであれば、処理はＳ４０５へ移行する。また、Ｓ４０４の判定がＮＯであれば、処理はＳ４０７へ移行する。
【００９２】
Ｓ４０５（Ｓ４０４：ＹＥＳ）において、端末側制御部１６Ａは、ＩＣカード３０から読み出したＩＤ情報と、記憶部１３に記憶されているＩＤ情報とが一致するか否かを判定する。Ｓ４０５の判定がＹＥＳであれば、処理はＳ４０６へ移行する。また、Ｓ４０５の判定がＮＯであれば、処理はＳ４０８へ移行する。
Ｓ４０６（Ｓ４０５：ＹＥＳ）において、端末側制御部１６Ａは、電源部１４を制御してスリープ状態へ移行し、本フローチャートの処理を終了する。
【００９３】
Ｓ４０７（Ｓ４０４：ＮＯ）において、端末側制御部１６Ａは、記憶部１３に記憶されているＩＤ情報を削除する。Ｓ４０７の後、処理はＳ４０６（前述）へ移行する。
Ｓ４０８において、端末側制御部１６Ａは、電源オフの状態に移行して、電源部１４からの電力の供給を停止させる。端末側制御部１６Ａは、Ｓ４０８の後、本フローチャートの処理を終了する。
Ｓ４０９（Ｓ４０５：ＮＯ）において、端末側制御部１６Ａは、記憶部１３に記憶されているＩＤ情報を、ＩＣカード３０から読み出したＩＤ情報で上書きする。Ｓ４０９の後、処理はＳ４０６（前述）へ移行する。
【００９４】
図１０に示すＩＤ情報更新処理（２）によれば、カードホルダ１０Ａにおいて、タイマ割り込みが発生した場合、ＩＣカード３０からＩＤ情報の読み出しが実行され、記憶部１３に記憶されているＩＤ情報が読み出せない場合には、記憶部１３に記憶されているＩＤ情報が更新（上書き、削除）される。
【００９５】
なお、第２実施形態において、認証装置２０から人体を介した電界通信により通信開始信号を受信した場合に実行されるＩＤ情報読み出し処理は、第１実施形態（図７参照）と同じであるため、説明を省略する。
【００９６】
上述した第２実施形態の入室管理システム２によれば、第１実施形態における効果（１）〜（３）に加えて、更に以下のような効果を奏する。
（４）カードホルダ１０ＡからＩＣカード３０が抜き取られた際に、スイッチ１５が正常に動作しないまま、他のＩＤ情報を有するＩＣカードが挿入されたとしても、タイマ割り込みが発生した時点で、ＩＣカードからＩＤ情報の読み出しが実行される。端末側制御部１６Ａは、その時点において、ＩＣカードから読み出したＩＤ情報が記憶部１３に記憶されているＩＤ情報と異なる場合には、記憶部１３に記憶されているＩＤ情報を、読み出したＩＤ情報で上書きする。そのため、利用者は、新たなＩＤ情報を記憶させることなしに、カードホルダ１０Ａを使用することができる。また、カードホルダ１０ＡからＩＣカード３０が抜き取られた際に、スイッチ１５が正常に動作しないまま、ＩＣカード３０が挿入されない状態が続いたとしも、タイマ割り込みが発生した時点で、ＩＣカードからＩＤ情報の読み出しが実行される。端末側制御部１６Ａは、その時点において、ＩＣカード３０からＩＤ情報が読み出せなければ、記憶部１３に記憶されているＩＤ情報を削除する。そのため、カードホルダ１０Ａのセキュリティ性を向上させることができる。
【００９７】
（５）カードホルダ１０ＡにＩＣカード３０が挿入されると、端末側制御部１６Ａは、タイマ１７において時間の計測を開始させる。そのため、タイマ１７における時間の計測を、より正確なタイミングで開始させることができる。
【００９８】
（６）カードホルダ１０ＡからＩＣカード３０が抜き取られると、端末側制御部１６Ａは、タイマ１７において時間の計測を停止させる。そのため、タイマ１７における消費電力を必要最小限に抑制することができる。
【００９９】
以上、本発明の実施形態について説明したが、本発明は、上述した実施形態に限定されるものではない。また、実施形態に記載した効果は、本発明から生じる最も好適な効果を列挙したに過ぎず、実施形態に記載したものに限定されない。なお、上述した実施形態及び後述する変形形態は、適宜に組み合わせて用いることもできるが、詳細な説明は省略する。以下に説明する変形形態の構成は、第１又は第２実施形態のいずれかが対象となる場合を除いて、原則として、第１及び第２実施形態の両方に適用することができる。
【０１００】
［変形形態］
（１）本実施形態において、スイッチ１５をカードホルダ１０の電源スイッチとして機能させてもよい。その場合、図３に示すように、カードホルダ１０にＩＣカード３０が挿入されていない場合、カードホルダ１０の電源はオフ状態となる。また、図２に示すように、カードホルダ１０にＩＣカード３０が挿入された場合、カードホルダ１０の電源はオン状態となる。このように、スイッチ１５をカードホルダ１０の電源スイッチとして機能させた場合、カードホルダ１０の消費電力をより低減させることができる。
【０１０１】
ここで、カードホルダ１０の電源がオン状態とは、端末側通信部１２、記憶部１３、端末側制御部１６等に電源部１４から電力が供給されている状態をいう。また、カードホルダ１０の電源がオフ状態とは、端末側制御部１６に、電源部１４から必要最小限の電力が供給されている状態をいう。
【０１０２】
なお、本実施形態では図示していないが、カードホルダ１０には専用の電源スイッチが設けられている。利用者は、カードホルダ１０に設けられた専用の電源スイッチを操作することにより、カードホルダ１０の電源をオン状態又はオフ状態に切り換えることができる。
【０１０３】
（２）本実施形態では、カードホルダ１０の筐体１００に、１つのスイッチ１５を設けた構成について説明した。これに限らず、スイッチ１５を、筐体１００の複数箇所に設けてもよい。また、本実施形態では、スイッチ１５として、プッシュスイッチを用いた例について説明した。これに限らず、スイッチ１５は、ＩＣカード３０を検知することができ、且つ筐体１００に実装可能なものであれば、どのような構造のスイッチを用いてもよい。また、本実施形態では、スイッチ１５（検知部）として、ＩＣカード３０の存在を物理的に検知するスイッチを用いた例について説明した。これに限らず、検知部として、光学センサを用いてもよいし、カードホルダ１０へのＩＣカード３０の接近を検知する近接センサを用いてもよい。更に、プッシュスイッチ等の物理スイッチ、光学センサ、近接センサ等を適宜に組み合わせた構成としてもよい。
【０１０４】
（３）本実施形態では、ＩＣカード３０から、非接触のリーダライタ１１によりＩＤ情報を読み取る例について説明した。この例に限らず、ＩＣカード３０の代わりに、磁気カードを用いてもよい。この場合、カードホルダ１０に挿入された磁気カード（磁気ストライプ）と、カードホルダ１０に内蔵された磁気カードリーダの磁気ヘッドとを接触させることにより、磁気カードからＩＤ情報を読み取ることができる。
【０１０５】
（４）本実施形態では、人体を介した電界通信によりＩＤ情報を取得する入室管理システム１Ａにおいて、認証側通信部２１をドアＤの前に敷かれたマットＭに内蔵した例について説明した。これに限らず、認証側通信部２１をドアＤの近傍の壁面に配置してもよいし、ドアノブに組み込んでもよい。この場合、カードホルダ１０を携帯した利用者Ｐが送受信部に触れることにより、人体を介した電界通信による情報の送受信が可能となる。
【０１０６】
（５）本実施形態では、カードホルダ１０を入室管理システムで使用する例について説明した。これに限らず、商業施設、公共施設、特定管理施設等の入場者にカードホルダ１０を保持させ、各施設の入口に送受信部を設置することにより、入場者の施設内への立ち入りを管理することができる。また、オフィスにおいて、従業員にカードホルダ１０を携帯させると共に、オフィス内のＯＡ機器（例えば、複合機）の近傍に送受信部を設置することにより、従業員によるＯＡ機器の使用を管理することができる。
【符号の説明】
【０１０７】
１，２    入室管理システム
１０，１０Ａ    カードホルダ
１１    リーダライタ
１２    電界通信部
１３    記憶部
１４    電源部
１５    スイッチ
１５ａ    可動片
１６，１６Ａ    端末側制御部
１７    タイマ
２０    認証装置
３０    ＩＣカード
１００    筐体
１２１    信号電極
【図１】
0006350039.tif 000002
【図２】
0006350039.tif 000003
【図３】
0006350039.tif 000004
【図４】
0006350039.tif 000005
【図５】
0006350039.tif 000006
【図６】
0006350039.tif 000007
【図７】
0006350039.tif 000008
【図８】
0006350039.tif 000009
【図９】
0006350039.tif 000010
【図１０】
0006350039.tif 000011